(57)【要約】【課題】大引き（根太材）に雨水や埃、ゴミなどが溜まり難いデッキを提供する。【解決手段】長手方向に沿って設けられ上方に突出された突出部を有する大引きと、大引き上に取り付けられるデッキ材と、突出部と係合して上方への移動が規制され、デッキ材と係合して当該デッキ材を前記大引きに取り付ける取付部材と、を備え、突出部は、長手方向と交差する大引きの幅方向において広がる側に延出され、取付部材が係合される係合片を有し、当該突出部が設けられている本体部とともに、内側に繋がった空間を形成し、取付部材は、突出部と係合しつつ長手方向にスライド可能に設けられ、デッキ材は、大引きの幅方向に沿わされて配置され、側部に前記長手方向に窪む凹部を有し、大引き上に配置されたデッキ材の凹部に、大引き上をスライドさせて取付部材を挿入することによりデッキ材を大引きに取り付ける。【選択図】図１
2010236312.tif 000002
【特許請求の範囲】
【請求項１】
長手方向に沿って設けられ上方に突出された突出部を有する大引きと、
前記大引き上に取り付けられるデッキ材と、
前記突出部と係合して上方への移動が規制され、前記デッキ材と係合して当該デッキ材を前記大引きに取り付ける取付部材と、
を備え、
前記突出部は、前記長手方向と交差する前記大引きの幅方向において広がる側に延出され、前記取付部材が係合される係合片を有し、当該突出部が設けられている本体部とともに、内側に繋がった空間を形成し、
前記取付部材は、前記突出部と係合しつつ前記長手方向にスライド可能に設けられ、
前記デッキ材は、前記大引きの前記幅方向に沿わされて配置され、側部に前記長手方向に窪む凹部を有し、
前記大引き上に配置された前記デッキ材の前記凹部に、前記大引き上をスライドさせて前記取付部材を挿入することにより前記デッキ材を前記大引きに取り付けることを特徴とするデッキ。
【請求項２】
長手方向に沿って設けられ上方に突出された突出部を有する大引きと、
前記大引き上に取り付けられるデッキ材と、
前記突出部と係合して上方への移動が規制され、前記デッキ材と係合して当該デッキ材を前記大引きに取り付ける取付部材と、
を備え、
前記突出部は、前記長手方向と交差する前記大引きの幅方向において広がる側に延出され、前記取付部材が係合される係合片を有し、
前記取付部材は、前記突出部と係合しつつ前記長手方向にスライド可能に設けられ、
前記デッキ材は、前記大引きの前記幅方向に沿わされて配置され、側部に前記長手方向に窪む凹部を有し、
前記大引き上に配置された前記デッキ材の前記凹部に、前記大引き上をスライドさせて前記取付部材を挿入することにより前記デッキ材を前記大引きに取り付けることを特徴とするデッキ。
【請求項３】
請求項１または請求項２に記載のデッキであって、
前記デッキ材は、前記大引きの前記幅方向に間隔を隔てて複数設けられた前記大引き上に架け渡され、各々の前記大引きとの間に介在された前記取付部材のうちのひとつに固定されていることを特徴とするデッキ。
【請求項４】
請求項１乃至請求項３のいずれかに記載のデッキであって、
前記デッキ材は、前記長手方向に並べて複数設けられており、
前記取付部材は、前記長手方向に隣接する２つの前記デッキ材間にそれぞれ設けられ、当該隣接する２つのデッキ材の前記凹部に各々挿入される係合突片を有することを特徴とするデッキ。
【請求項５】
請求項４に記載のデッキであって、
前記係合突片は、前記隣接する２つのデッキ材のうちの一方と係合する前記係合突片の方が、他方と係合する前記係合突片より前記長手方向における突出量が大きいことを特徴とするデッキ。
【請求項６】
請求項１乃至請求項５のいずれかに記載のデッキであって、
１本の前記大引きに係合された複数の前記取付部材は、当該大引きに固定されているものと、固定されていないものとを有することを特徴とするデッキ。
【請求項７】
請求項１乃至請求項６のいずれかに記載のデッキであって、
前記取付部材は、前記隣接するデッキ材の間隔を規制する間隔規制突起を有することを特徴とするデッキ。
【発明の詳細な説明】
【技術分野】
【０００１】
本発明は、大引きと、大引き上に取り付けられたデッキ材とを有するデッキに関する。
【背景技術】
【０００２】
大引きと大引き上に取り付けられたデッキ材とを有するデッキとしては、例えば、断面が矩形状の中空主体を有する大引き（根太材）の上にデッキ材（床材）が結合駒を介して取り付けられたデッキが知られている（例えば、特許文献１参照）。このようなデッキは、大引き（根太材）の中空主体の上方に長手方向に沿って突出され、幅方向に間隔を隔てて設けられた一対のＬ形部片により係合溝が形成されており、デッキ材（床材）は係合溝に摺嵌された結合駒にて大引きに取り付けられている。
【先行技術文献】
【特許文献】
【０００３】
【特許文献１】特許第３６４５４７７号明細書
【発明の概要】
【発明が解決しようとする課題】
【０００４】
上記のようなデッキは、大引き（根太材）の上部に結合駒が摺嵌される係合溝が設けられているので、大引き（根太材）の係合溝に雨水や埃、ゴミなどが溜まりやすいという課題がある。
【０００５】
本発明は、かかる課題に鑑みてなされたものであり、その目的とするところは、大引き（根太材）に雨水や埃、ゴミなどが溜まり難いデッキを提供することにある。
【課題を解決するための手段】
【０００６】
かかる目的を達成するために本発明のデッキは、長手方向に沿って設けられ上方に突出された突出部を有する大引きと、前記大引き上に取り付けられるデッキ材と、前記突出部と係合して上方への移動が規制され、前記デッキ材と係合して当該デッキ材を前記大引きに取り付ける取付部材と、を備え、前記突出部は、前記長手方向と交差する前記大引きの幅方向において広がる側に延出され、前記取付部材が係合される係合片を有し、当該突出部が設けられている本体部とともに、内側に繋がった空間を形成し、前記取付部材は、前記突出部と係合しつつ前記長手方向にスライド可能に設けられ、前記デッキ材は、前記大引きの前記幅方向に沿わされて配置され、側部に前記長手方向に窪む凹部を有し、前記大引き上に配置された前記デッキ材の前記凹部に、前記大引き上をスライドさせて前記取付部材を挿入することにより前記デッキ材を前記大引きに取り付けることを特徴とするデッキである。
【０００７】
このようなデッキによれば、デッキ材の下に配置されている大引きに設けられ、取付部材が係合される部位は、上方に突出された突出部に設けられて大引きの幅方向において広がる側に延出された係合片なので、大引きの上部に溝状の部位を形成することなく取付部材を大引きに係合させることが可能である。このため、大引きの上に雨水や埃、ゴミなどが溜まり難いデッキを提供することが可能である。  
また、本体部より突出させて突出部が一体として設けられているので、本体部の内側に溝部を形成する場合と比較して剛性の高い大引きを備えたデッキを提供することが可能である。  
また、大引き上に配置されたデッキ材は、大引きの突出部と係合しつつスライドさせた取付部材が凹部に挿入されて大引きに取り付けられるので、大引きにデッキ材を容易に取り付けることが可能である。このとき、デッキ材の取り付けにビス等を用いないので、施工性が良く、効率よくデッキを施工することが可能である。
【０００８】
また、長手方向に沿って設けられ上方に突出された突出部を有する大引きと、前記大引き上に取り付けられるデッキ材と、前記突出部と係合して上方への移動が規制され、前記デッキ材と係合して当該デッキ材を前記大引きに取り付ける取付部材と、を備え、前記突出部は、前記長手方向と交差する前記大引きの幅方向において広がる側に延出され、前記取付部材が係合される係合片を有し、前記取付部材は、前記突出部と係合しつつ前記長手方向にスライド可能に設けられ、前記デッキ材は、前記大引きの前記幅方向に沿わされて配置され、側部に前記長手方向に窪む凹部を有し、前記大引き上に配置された前記デッキ材の前記凹部に、前記大引き上をスライドさせて前記取付部材を挿入することにより前記デッキ材を前記大引きに取り付けることを特徴とするデッキである。
【０００９】
このようなデッキによれば、デッキ材の下に配置されている大引きに設けられ、取付部材が係合される部位は、上方に突出された突出部に設けられて大引きの幅方向において広がる側に延出された係合片なので、大引きの上部に溝状の部位を形成することなく取付部材を大引きに係合させることが可能である。このため、大引きの上に雨水や埃、ゴミなどが溜まり難いデッキを提供することが可能である。  
また、大引き上に配置されたデッキ材は、大引きの突出部と係合しつつスライドさせた取付部材が凹部に挿入されて大引きに取り付けられるので、大引きにデッキ材を容易に取り付けることが可能である。このとき、デッキ材の取り付けにビス等を用いないので、施工性が良く、効率よくデッキを施工することが可能である。
【００１０】
かかるデッキであって、前記デッキ材は、前記大引きの前記幅方向に間隔を隔てて複数設けられた前記大引き上に架け渡され、各々の前記大引きとの間に介在された前記取付部材のうちのひとつに固定されていることが望ましい。  
このようなデッキによれば、デッキ材は、大引きとの間に介在された複数の取付部材のうちのひとつに固定されているので、固定された位置にてデッキ材が位置決めされる。また、デッキ材は、その他の取付部材には固定されていないので、デッキ材と固定されていない取付部材とは相対変位可能である。このため、環境の変化等によるデッキ材の伸縮を許容することが可能である。よって、デッキ材の位置を規制しつつ、デッキ材の収縮によるデッキ材、取付部材、及び、大引きへの負荷の発生を抑えることが可能である。
【００１１】
かかるデッキであって、前記デッキ材は、前記長手方向に並べて複数設けられており、前記取付部材は、前記長手方向に隣接する２つの前記デッキ材間にそれぞれ設けられ、当該隣接する２つのデッキ材の前記凹部に各々挿入される係合突片を有することが望ましい。  
このようなデッキによれば、大引きの長手方向に隣接する２つのデッキ材が、それらの間に設けられる取付部材に設けられた係合突片が凹部に挿入されて取り付けられるので、１つの取付部材にて２つのデッキ材を保持することが可能である。
【００１２】
かかるデッキであって、前記係合突片は、前記隣接する２つのデッキ材のうちの一方と係合する前記係合突片の方が、他方と係合する前記係合突片より前記長手方向における突出量が大きいことが望ましい。  
このようなデッキによれば、１つの取付部材に設けられた２つの係合突片の一方が他方より突出量が大きいので、２つの係合突片がデッキ材の凹部と係合することでデッキ材を大引きに保持させるとともに、デッキ材を突出量が大きい係合突片が挿入されている側に偏らせることにより突出量が小さい側の係合突片が外れやすくなる。このため、例えばメンテナンス等のためにデッキ材を外したい場合などに、同じ長さの係合突片が突出している取付部材にて取り付けられている場合よりデッキ材が取り外し易いので、メンテナンス性に優れたデッキを実現することが可能である。
【００１３】
かかるデッキであって、１本の前記大引きに係合された複数の前記取付部材は、当該大引きに固定されているものと、固定されていないものとを有することが望ましい。  
このようなデッキによれば、大引き上に載置される複数のデッキ材を各々取り付ける取付部材の全てが固定されてはいないので、全てのデッキ材が固定されている場合より施工の手間が少ない。このため、施工性の良いデッキを実現することが可能である。また、固定されていない取付部材にて取り付けられているデッキ材は、固定されている取付部材にて取り付けられているデッキ材側に偏らせることが可能である。このため、複数のデッキ材を同一方向に偏らせて各々の取付部材とデッキ材との間の空隙を１カ所に集中させることにより、空隙が集中された取付部材とデッキ材との間では、デッキ材がより外れやすくなる。このため、メンテナンス性により優れたデッキを実現することが可能である。
【００１４】
かかるデッキであって、前記取付部材は、前記隣接するデッキ材の間隔を規制する間隔規制突起を有することが望ましい。  
このようなデッキによれば、取付部材の間隔規制突起により隣接するデッキ材との間隔が規制されるので、デッキ材の間隔のばらつきを抑えることが可能である。すなわち、目地を均一に揃えることが容易である。
【発明の効果】
【００１５】
本発明によれば、大引きに雨水や埃、ゴミなどが溜まり難いデッキを提供することが可能である。
【図面の簡単な説明】
【００１６】
【図１】本実施形態に係るデッキを説明するための斜視図である。
【図２】図１のＡ矢視図である。
【図３】大引きとデッキ材との取付部を奥行き方向における手前側から見た図である。
【図４】本実施形態に係る取付部材を説明するための斜視図である。
【図５】取付部材の変形例を示す図である。
【図６】大引き及び大引きの支持方法の変形例を示す図である。
【発明を実施するための形態】
【００１７】
以下、本発明の一実施形態に係るデッキについて図面を参照して説明する。
【００１８】
本実施形態のデッキ１は、例えば、図１、図２に示すように、地面や基礎５上に設けられた束柱３に支持された複数の大引き１０と、大引き１０の上に取付部材３０にて取り付けられるデッキ材２０とを有している。以下の説明においては、大引き１０の長手方向に沿う方向からデッキ１を見た際に、大引き１０の長手方向を奥行き方向、大引き１０の長手方向と交差する幅方向、すなわちデッキ材２０の長手方向であり左右となる方向を左右方向、上下となる方向を上下方向として説明する。また、デッキ１が備える各部材は、単体の状態であっても施工後のデッキ１として組み立てられた状態にて奥行き方向、左右方向、上下方向となる方向にて方向を特定して説明する。
【００１９】
本実施形態のデッキ１は、３本の束柱３の上に架け渡された大引き１０が、左右方向に互いに間隔を隔てて３本設けられており、３本の大引き１０の上に、長手方向が左右方向に沿わされて架け渡されたデッキ材２０が、奥行き方向に複数枚並べて配置され、大引き１０とデッキ材２０とが交差する部位にて取付部材３０により大引き１０にデッキ材２０が取り付けられている。
【００２０】
大引き１０は、アルミニウム製の押出成形部材であり、図３に示すように、束柱３上に当接され左右方向に互いに間隔を隔てて設けられた一対の座板部１１と、座板部１１の上面からそれぞれ鉛直方向に立設され左右方向に互いに間隔を隔てて対面する一対の壁部１２と、壁部１２の上縁から互いに対向する方向に水平方向に延出された水平延出部１３と、を有する本体部１５、及び、本体部１５から上方に突出された突出部１６とを有している。座板部１１は、壁部１２の内側より外側に広く形成されており、束柱３上に載置された部位の壁部１２より外側にてビス５０により束柱３に固定されている。
【００２１】
突出部１６は、一対の壁部１２の上縁から各々延出された水平延出部１３の先端から鉛直方向上方に延出された一対の鉛直延出部１７と、一対の鉛直延出部１７の上端を連結して水平面を有する上板部１８とを有している。上板部１８は、一対の鉛直延出部１７より左右方向、すなわち大引き１０の幅方向に広く形成されており、鉛直延出部１７より左右方向外側となる、幅が広がる側に延出されている部位が、取付部材３０と係合する係合片１８ａをなしている。
【００２２】
デッキ材２０は、木粉を含有する樹脂にて押出成形された部材であり、図２に示すように、水平な表面を有する２枚の平板部２１と、２枚の平板部２１の両端側にて２枚の平板部２１を上下方向に互いに間隔を隔てて連結する側部２２と、２枚の平板部２１及び両側の側部２２とにて囲まれた空間内に設けられ２枚の平板部２１間を連結する６本のリブ２３と、両側の側部２２からそれぞれ奥行き方向、すなわちデッキ材２０の幅方向における外側に向かって突出された側方突出部２４とを有している。すなわち、デッキ材２０は、２枚の平板部２１及び両側の側部２２との内側を、デッキ材２０の長手方向に連通する７つの空間に区画する６本のリブ２３が設けられて高い剛性が確保されている。
【００２３】
デッキ材２０の両端側に設けられた側部２２には、厚み方向における中央部分に、側部２２の外側から内側に向かって、すなわちデッキ材２０が有する空間の内側に向かって窪む係合部としての凹部２５がデッキ材２０の長手方向に沿って溝状に形成されている。また、両側の側部２２の一方には、凹部２５の上側の縁部２５ａと上縁部２２ａとに水平方向に突出する側方突出部２４が設けられており、両側の側部２２の他方には、凹部２５の下側の縁部２５ｂと下縁部２２ｂとに水平方向に側方突出部２４が設けられている。そして、一方の側部２２の上縁部２２ａに設けられた側方突出部２４と、他方の側部２２の下縁部２２ｂに設けられた側方突出部２４とは、各々平板部２１と繋がった水平面を形成している。
【００２４】
取付部材３０は、アルミニウム製の部材であり、図４に示すように、互いに間隔を隔てて並べて配置された一対の平板状の基部３１と、対をなす基部３１に跨って設けられ基部３１が並ぶ方向に沿う平面を形成し鉛直方向に立設された束壁部３２と、束壁部３２の上縁部に設けられ水平面を形成する天部３３とを有している。
【００２５】
一対の基部３１の間隔は、大引き１０が有する突出部１６を形成する鉛直延出部１７の幅より僅かに広く、また、上板部１８の幅より狭く形成されている。また、基部３１には、取付部材３０を大引き１０にビスにて固定することができるように、ビス５０が貫通されるビス孔３１ａが設けられている。
【００２６】
束壁部３２の下部には、基部３１の間隔より広い幅の切り欠き部３２ａが設けられており、一対の基部３１が、大引き１０の水平延出部１３に載置された際に、大引き１０の突出部１６の上板部１８が干渉しないように構成されている。このため、一対の基部３１が水平延出部１３に載置されるとともに、上板部１８の左右方向における両端に設けられた係合片１８ａが、基部３１の内側と束壁部３２との間に配置された状態にて、取付部材３０の上方への移動が規制されるとともに、大引き１０の長手方向にスライド可能に形成されている。
【００２７】
また束壁部３２には、奥行き方向における手前側の面３２ｂ側に僅かに切り起こされた間隔規制突起３２ｃが設けられている。この間隔規制突起３２ｃは、切り起こされて束壁部３２から突出している突出量が弾性変形により変化するように構成されている。
【００２８】
天部３３は、束壁部３２の上縁から束壁部３２の奥行き方向における手前側と奥側とにそれぞれ突出されて、デッキ材２０に設けられた凹部２５と係合する係合突片３３ａ、３３ｂを構成し、２つの係合突片３３ａ、３３ｂは繋がった１つの水平面を形成している。２つの係合突片３３ａ、３３ｂは、間隔規制突起３２ｃが設けられている側（手前側）に突出された係合突片３３ａが、奥側に突出された係合突片３３ｂより突出量が小さく形成されている。また、奥側に突出されて突出量が大きい係合突片３３ｂには、取付部材３０にデッキ材２０をピン５１にて固定するための固定孔３３ｃが形成されている。
【００２９】
すなわち、取付部材３０は、基部３１に設けられたビス孔３１ａと、束壁部３２から突出された間隔規制突起３２ｃと、突出量が小さい係合突片３３ａとが束壁部３２の手前側に設けられており、突出量が大きな係合突片３３ｂと、この係合突片３３ｂに設けられた固定孔３３ｃとが束壁部３２の奥側に設けられている。
【００３０】
デッキ材２０を大引き１０上に敷き詰める際には、例えば、まずデッキ材２０が架け渡される各大引き１０の奥行き方向における奥側に位置する端部側に端部取付部材３５を固定する。このとき、端部取付部材３５としては、例えば、上述した取付部材３０の突出量が大きな係合突片３３ｂと基部３１の束壁部３２より奥側の部位が切除された部材を用いる。そして、突出量が小さな係合突片３３ａが手前側に向けられて配置されるように端部取付部材３５をピン５１または釘にて固定する。
【００３１】
固定された各端部取付部材３５の突出量が小さな係合突片３３ａがデッキ材２０の一方の側部２２に設けられた係合部としての凹部２５と係合するようにデッキ材２０を配置する。このとき、デッキ材２０は、凹部２５の上側に側方突出部２４が設けられている側を端部取付部材３５側に向けて配置する。
【００３２】
次に、取付部材３０を各大引き１０と係合させつつスライドさせ、既に取り付けられているデッキ材２０に当接させる。このとき、取付部材３０の突出量が大きい側の係合突片３３ｂが、既に取り付けられたデッキ材２０の凹部２５と係合するように取り付ける。また、各大引き１０に取り付けられた取付部材３０のうちの１つとデッキ材２０とをビス５０にて固定する。図１の例では、３本の大引き１０のうち、中央に位置する大引き１０に係合された取付部材３０とデッキ材２０とをビス５０にて固定している。
【００３３】
次に新たなデッキ材２０を各取付部材３０の突出量が小さな係合突片３３ａがデッキ材２０の一方の側部２２に設けられた凹部２５と係合するように配置する。
【００３４】
このように、デッキ材２０と取付部材３０とを交互に配置してデッキ材２０を取り付けて大引き１０の端部までデッキ材２０を敷き詰める。このとき、デッキ材２０を数枚ごとに取付部材３０を大引き１０にビス５０にて固定する。例えば、奥行き方向にデッキ材２０を４枚並べるまでは取付部材３０を大引き１０に固定せず、５枚目のデッキ材２０を配置した後に取り付ける各取付部材３０はビス５０にて各大引き１０に固定するというようにデッキ材２０を５枚配置するごとに取付部材３０を固定する。
【００３５】
上記実施形態のデッキ１によれば、デッキ材２０の下に配置されている大引き１０に上方に突出する突出部１６を設け、この突出部１６に設けられ、大引きの幅方向において広がる側に延出された係合片１８ａと係合する取付部材３０を介してデッキ材２０を取り付ける構成とし、２つの係合片１８ａの間は水平面をなす上板部１８としたので、大引き１０の上部に溝状の部位を形成することなく取付部材３０を大引きに係合させることが可能である。このため、大引き１０の上に雨水や埃、ゴミなどが溜まり難いデッキ１を提供することが可能である。
【００３６】
また、本体部１５より突出させた突出部１６が一体として設けられているので、本体部１５の内側に窪む溝部を形成する場合と比較して剛性の高い大引き１０を備えたデッキ１を提供することが可能である。
【００３７】
また、大引き１０上に配置されたデッキ材２０は、大引き１０の突出部１６と係合しつつスライドさせた取付部材３０が凹部２５に挿入されて大引き１０に取り付けられるので、大引き１０にデッキ材２０を容易に取り付けることが可能である。このとき、各デッキ材２０を各々ビス５０にて固定しないので、施工性が良く、効率よくデッキ１を施工することが可能である。
【００３８】
また、１枚のデッキ材２０は、大引き１０との間に介在された複数の取付部材３０のうちの一つに固定されているので、固定された位置にてデッキ材２０の位置が決められる。また、その他の取付部材３０にはデッキ材２０は固定されていないので、デッキ材２０と、デッキ材２０に固定されていない取付部材３０とは相対変位可能である。このため、環境の変化等によるデッキ材２０の伸縮を許容することが可能である。よって、デッキ材２０の位置を規制しつつ、デッキ材２０の収縮によるデッキ材２０、取付部材３０、及び、大引き１０への負荷の発生を抑えることが可能である。また、デッキ材２０の長手方向に隣接して設けられるデッキ材２０にて形成される目地のばらつきも抑えることが可能である。
【００３９】
また、大引き１０の長手方向に隣接する２つのデッキ材２０が、それらの間に設けられる取付部材３０に設けられた係合突片３３ａ、３３ｂが凹部２５に挿入されて取り付けられるので、１つの取付部材３０にて２つのデッキ材２０の端部の上方への移動を規制することが可能である。
【００４０】
また、１つの取付部材３０に設けられた２つの係合突片３３ａ、３３ｂは、奥行き方向において奥側が手前側より突出量が大きいので、２つの係合突片３３ａ、３３ｂがデッキ材２０の凹部２５と係合することでデッキ材２０を大引き１０に保持させることが可能である。また、図２に示すように、デッキ材２０の凹部２５と、係合突片３３ａ、３３ｂの先端との間には空隙が形成されているので、デッキ材２０を突出量が大きい係合突片３３ｂが挿入されている側に偏らせることにより突出量が小さい方の係合突片３３ａの先端と凹部２５との間隙が広くなり、係合突片３３ａが外れやすくなる。このため、例えばメンテナンスのためにデッキ材２０を外したい場合などに、係合突片の突出量が同じ取付部材３０にてデッキ材が取り付けられたデッキよりデッキ材が外し易いので、メンテナンス性に優れたデッキ１を提供することが可能である。
【００４１】
また、大引き１０上に載置される複数のデッキ材２０を各々取り付ける取付部材３０は、全てが固定されている訳ではなく、数本ごとに固定されるので、全ての取付部材を固定する場合より、短時間で仕上げることが可能である。また、固定されていない取付部材３０にて取り付けられているデッキ材２０を、固定されている取付部材３０にて取り付けられているデッキ材２０側に偏らせることが可能である。このため、複数のデッキ材２０を同一方向に偏らせて各々の取付部材３０とデッキ材２０との間の空隙を１カ所に集中させることにより、空隙が集中された取付部材３０とデッキ材２０との間では、デッキ材２０がより外れやすくなる。このため、メンテナンス性をさらに向上させることが可能である。
【００４２】
また、取付部材３０の間隔規制突起３２ｃにより隣接するデッキ材２０の間隔が規制されるので、デッキ材２０の間隔のばらつきを抑えることが可能である。
【００４３】
また、隣接するデッキ材２０の間隔を規制する間隔規制突起３２ｃが弾性変形して突出量が変化するので、デッキ材２０は間隔規制突起３２ｃに当接されて位置決めされるとともに、がたつきを防止することが可能である。また、デッキ材２０を間隔規制突起３２ｃの弾性変形の範囲内で移動させることが可能である。このため、通常はデッキ材２０が大引き１０から外れないように保持するとともに、デッキ材２０を外したい場合には、デッキ材２０を間隔規制突起３２ｃの弾性変形の範囲内でより大きく移動させて取り外し易い構造とすることが可能である。
【００４４】
また、弾性変形する間隔規制突起３２ｃと突出量が小さい係合突片３３ａとが奥行き方向において取付部材３０に対し同じ側に設けられているので、複数のデッキ材２０を偏らせて各々の取付部材３０とデッキ材２０との間の空隙を１カ所に集中させた際の空隙をより大きく確保することが可能である。このため、よりメンテナンス性を向上させることが可能である。
【００４５】
上記実施形態においては、間隔規制突起３２ｃが、束壁部３２から切り起こされて弾性変形する形態について説明したが、これに限るものではない。例えば、図５に示すように、奥行き方向における手前側に突出するように突部３２ｄを絞り加工等により設けても良い。この場合には、デッキ材２０間の間隔を一定の幅に揃えることが可能である。このとき、絞り加工により突部３２ｄの突出量が異なる取付部材３０を備えておけば、現場の状況や、施主の要望によりデッキ材２０の間隔を容易に調整し、かつ、一定幅に揃えることが可能である。図５では、突起３２ｄを球面上に形成した例について示したが、これに限るものではなく、突出している部位が設けられていればよい。
【００４６】
上記実施形態においては、デッキ材２０が木粉を含有する樹脂にて押出成形されている例について説明したが、必ずしも木粉が含有されていなくても良い。
【００４７】
また、上記実施形態においては、大引き１０が一対の座板部１１と、座板部１１の上面からそれぞれ鉛直方向に立設された一対の壁部１２とを有し、座板部１１が束柱３上に載置されてビス５０により束柱３に固定されている例について説明したが、これに限るものではない。例えば、図６に示すように、大引き１０が、基礎から突出されたアンカーに固定された角型の中空部材にて形成された束柱３上に載置され、この束柱３に大引き１０が固定されていても良い。この場合には、大引き１０は、一対の壁部１２の下端側が連結されて底部１４が形成されており、底部１４より下方に垂設され壁部１２と繋がった平面を形成する垂壁部１９を有している。そして、間隔を隔てて配置された複数の束柱３を１本の大引き１０にて覆うように底部１４が束柱３上に載置され、束柱３の側面と対向する垂壁部１９を貫通するビス５０が側方から束柱３に螺合されて大引き１０が束柱３に固定される。
【００４８】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４９】
１  デッキ、１０  大引き、１５  本体部、
１６  突出部、１８ａ  係合片、
２０  デッキ材、２２  側部、２５  凹部、
３０  取付部材、３２ａ  間隔規制突起、
３２ｃ  間隔規制突起、３２ｄ  突部、
３３ａ、３３ｂ  係合突片
【図１】
2010236312.tif 000003
【図２】
2010236312.tif 000004
【図３】
2010236312.tif 000005
【図４】
2010236312.tif 000006
【図５】
2010236312.tif 000007
【図６】
2010236312.tif 000008